(57)【要約】【課題】  水中で網を飛ばして獲物を傷つけることなく捕獲する道具を提供する。【解決手段】  本発明の捕獲具は、発射装置に装填される細長い基部と、当該基部の先端に開口部を前に向けて取り付けられた袋状または籠状の網部と、前記発射装置から打ち出された後に前記網部の開口を閉じる閉鎖手段とを具える。網部には骨格部材を設けて保形する。閉鎖手段は発射装置と捕獲部とを繋ぐ連結紐を具え、連結紐が引っ張れれることにより網部の開口が閉じるように構成する。使用者が対象物までの距離を連結紐の長さ範囲内にとり、対象物に向けて捕獲具１を発射すると、捕獲具は開口部を前に向けて進み、その過程で対象物が網部内に収容される。連結紐が伸びきった状態で開口部が閉じ、対象物が網部内に捕獲される。【選択図】図１
2006122038.tif 000002
【特許請求の範囲】
【請求項１】
発射装置に装填される細長い基部と、当該基部の先端に開口部を前に向けて取り付けられた袋状または籠状の網部と、前記発射装置から打ち出された後に前記網部の開口を閉じる閉鎖手段と、を具えることを特徴とする捕獲具。
【請求項２】
捕獲対象物に向かって打ち出される細長い基部と、当該基部の先端に開口部を前に向けて取り付けられた袋状または籠状の網部と、前記捕獲対象物に向かって打ち出された後に前記網部の開口を閉じる閉鎖手段と、前記基部の後端部に取り付けられる発射手段と、を具えることを特徴とする捕獲具。
【請求項３】
請求項２に記載の捕獲具において、前記発射手段は、前記基部の後端部に取り付けられた紐状弾性部材であることを特徴とする捕獲具。
【請求項４】
請求項１乃至３のいずれかに記載の捕獲具において、前記網部が、該網部を袋状または籠状に保持する骨格部材と、当該骨格部材に張り渡された網状素材とを具え、各骨格部材はその根本または中間部から内側に回動する回動軸を具えることを特徴とすることを特徴とする捕獲具。
【請求項５】
請求項１乃至４のいずれかに記載の捕獲具がさらに、前記発射装置に連結された適宜長さの連結紐を具え、当該連結紐が引っ張られることにより前記網部の開口が閉じるよう構成されていることを特徴とする捕獲具。
【請求項６】
請求項５に記載の捕獲具において、前記基部が筒状体であるとともに、前記連結紐が当該基部に貫挿され、その先端部で枝分かれして各骨格部材に連結されていることを特徴とする捕獲具。
【請求項７】
請求項１乃至６のいずれかに記載の捕獲具において、前記網部の開口にほぼ等間隔で取り付けられた複数の磁石を具えることを特徴とする捕獲具。
【請求項８】
請求項１乃至７のいずれかに記載の捕獲具において、前記網部が折り畳み可能であることを特徴とする捕獲具。
【請求項９】
請求項１、４乃至８のいずれかに記載の捕獲具を発射するための発射装置であって、前記基部を装填する銃身と、前記捕獲具を発射する動力となる弾性部材と、前記捕獲具を係留しトリガ操作により係留状態を解除する発射機構と、を具えることを特徴とする発射装置。
【請求項１０】
請求項１、４乃至９のいずれかに記載の捕獲具と、請求項６に記載の発射装置とを具える捕獲具セット。
【請求項１１】
請求項１乃至１０のいずれかに記載の捕獲具または捕獲具セットにおいて、前記捕獲具および／または発射装置が耐水性および／または耐塩分性を有する材料でなることを特徴とする捕獲具または捕獲具セット。
【発明の詳細な説明】
【技術分野】
【０００１】
本発明はレジャー用品としての捕獲具に関し、特に、水中で網を発射して対象物を捕獲する捕獲具に関する。
【背景技術】
【０００２】
水中で魚などを捕獲する道具に水中銃がある（例えば、特許文献１）。水中銃は、細長い銛を銃身部にセットし、ゴムの反動力を利用して銛を射出する。銛の先端は鋭利な矢尻となっており、射出された銛を獲物に突き刺して捕獲する。
【０００３】
また、水中用ではないが、網を発射装置から打ち出して対象物を捕獲する捕獲具がある（例えば、特許文献２）。このような捕獲具では、一枚の網の外縁部に複数の錘が取り付けられており、射出されたときにこの錘が広がって飛び、網が対象物に被さるよう構成されている。また、特許文献３に記載の器具では、糸で弓に連結された弓矢の先端カートリッジに網が仕込まれており、発射された矢が糸の長さだけ進むと急停止し、そこでカートリッジから網が飛び出すようにした捕獲具が開示されている。
【特許文献１】特開２０００−１０５０９９号公報
【特許文献２】特開２００３−１２５６９７号公報
【特許文献３】実開平０６−６４４７８号公報
【発明の開示】
【発明が解決しようとする課題】
【０００４】
例えばダイビングやシュノーケリングなどのマリンレジャーでは、水中を泳ぐ魚に近接することができるが、魚は海中を自由に泳いでおり、もっと近くでじっくり観察したいと思っても容易に捕まえられるものではない。このような目的で魚を捕獲するのに上記の水中銃などを用いることが考えられるが、水中銃に用いられる銛は先端が尖っており、捕獲対象物を傷つけてしまうという不具合がある。
【０００５】
また、上記特許文献２，３のような捕獲具は陸上では有効だが、水中では網が水の抵抗を受けてうまく進まず、また対象物に当たっても網がうまく被さらず捕獲が困難であるという不具合がある。
【０００６】
本発明は、水中でも真っ直ぐに進み、獲物に当たった後に網の口を閉じて獲物を捕獲するレジャーに好適な捕獲具を提供することを目的とする。
【課題を解決するための手段】
【０００７】
本発明の捕獲具は、捕獲対象物に向けて打ち出される細長い基部と、当該基部の先端に開口部を前に向けて固定された袋状または籠状の網部と、前記捕獲対象物に向けて打ち出された後に前記網部の開口を閉じる閉鎖手段と、を具えることを最も主要な特徴とする。
【０００８】
この捕獲具は、前記基部の後端部に、例えば環状のゴムでなる発射手段を設けて構成してもよいし、例えば水中銃のような発射手段に装填されそこから打ち出されるように構成してもよい。
【０００９】
好適な実施例において、前記網部は、該網部を袋状または籠状に保持する骨格部材と、当該骨格部材に張り渡された網状素材とを具え、各骨格部材がその根本または中間部から内側に回動する回動軸を具えることを特徴とする。
【００１０】
さらに、前記発射装置に連結された適宜長さの連結紐を具え、当該連結紐が引っ張られることにより前記網部の開口が閉じるよう構成されたことを特徴とする。
【００１１】
本発明の捕獲具において、前記基部が筒状であるとともに、前記連結紐が当該基部に貫挿されており、その先端部で枝分かれして前記骨格部材の各々に連結されていることを特徴とする。
【００１２】
本発明の捕獲具において、前記閉口手段は、前記網部の開口にほぼ等間隔で取り付けられた複数の磁石を具えることを特徴とする。
【００１３】
本発明の捕獲具において、前記網部は折り畳み可能であることを特徴とする。
【００１４】
本発明はまた、上記の捕獲具を発射するための発射装置であって、前記基部を装填する銃身と、前記捕獲具を発射する動力となる弾性部材と、前記捕獲具を係留しトリガ操作により係留状態を解除する発射機構と、を具えることを特徴とする発射装置に関する。
【００１５】
また、本発明は、上記の捕獲具と、発射装置とを具える捕獲具セットに関する。
【００１６】
この捕獲具または捕獲具セットにおいて、前記捕獲具および／または発射装置は耐水性および／または耐塩分性を有する材料でなることを特徴とする。
【発明の効果】
【００１７】
本発明の捕獲具は、細長い基部を具えるため十分な重量と指向性を有し、また基部の先端に開口部を前に向けた袋状または籠状の網部が固定されているため、水の抵抗がある場合でも対象物に向けて発射し、網部に対象物を収めることができる。また、発射後に開口部を閉じる閉鎖手段を具えるため、対象物を囲い込んだ状態で網を閉じて確実に捕獲することができる。
【００１８】
また、発射装置から連結紐を延ばして捕獲具に連結し、当該連結紐が引っ張られたら開口部を閉じる構成としたため、電気的・電子的な構成によらず機械的構成により閉口手段を構成することができ、水中でも安全且つ確実に対象物を捕獲する捕獲具を提供することができる。
【００１９】
また、網部を骨格部材とこれに張り渡された網状素材で構成しているため、水の抵抗が少なく、また水中でも形が崩れることなく進んで対象物を捕獲することができる。
【００２０】
また、捕獲具が発射装置に連結されており、発射された捕獲具が連結紐の長さだけ進んだら連結紐が引っ張られることにより網部の開口を閉じる構成としたため、連結紐の範囲内に位置する対象物を網部で捕らえた後に確実に捕獲することができる。
【００２１】
また、網部の開口にほぼ等間隔で磁石を取り付け、口が閉じたときに磁石が互いに磁着する構成としたため、捕獲後に網部が開口して獲物が逃げてしまう事態を防止することができる。
【００２２】
さらに、網部を折り畳み可能に構成しているため、不使用時にコンパクトに折り畳んで運搬し保管することができる。
【００２３】
また、この捕獲具を発射する手段を、基部の後端部に取り付けた紐状弾性部材で構成することにより、簡単且つ安価な捕獲具を提供することができる。あるいは、発射手段を、前記基部を装填する銃身と、前記捕獲具を発射する動力となる弾性部材と、前記捕獲具を係留しトリガ操作により係留状態を解除する発射機構とで構成すると、火薬等を不要として水中でも安全に発射することが可能となる。ここで弾性部材にはゴム、バネ、スプリング等を好適に用いることができる。
【００２４】
さらに、上記捕獲具や発射装置を耐水性および／または耐塩分性の材料で構成しているため、水中での使用にも錆び付かず長期に亘り使用することができる。
【発明を実施するための最良の形態】
【００２５】
本発明に係る捕獲具を実施するための最良の形態を、添付の図面を参照しながら以下に詳細に説明する。
【実施例１】
【００２６】
図１は本発明に係る捕獲具セットの第１実施例の構成を示す斜視図である。図１に示すように、捕獲具セットは、捕獲具１と、発射装置２とからなり、これらは連結紐３で連結されている。捕獲具１は細長い基部１１を具え、その先端には袋状または籠状の網部１２が開口部を前に向けて取り付けられている。基部１１は、例えば鉄などの金属に耐水・耐塩分性・防錆処理を施した筒状体でなり、連結紐３はこの基部１１に挿通されている。連結紐３の長さに制限はないが、発射装置２の射程距離内（例えば２ｍ〜５ｍ程度）に設定される。連結紐３は、例えばナイロン製の細いロープを用いることができる。
【００２７】
発射装置２は、捕獲具１の基部１１をセットするための銃身２１と、捕獲具１を発射する動力となるゴムバンド２２ａと、捕獲具１を係留しトリガ操作によりリリースする発射機構２３とを具えている。銃身２１の先端には基部１を通すリング２２ｂが形成されている。捕獲具１の基部１１を後側からリング２２ｂに通し、基部１１の後端部に設けられた切れ込み２４のいずれかにゴムバンド２２ａに取り付けられた金属部材を引っかけ、手元側に引っ張って発射機構２３に係留する。トリガ操作により係留状態が解除され、ゴムバンド２２ａがパチンコのように動作して捕獲具１がガイドレールに沿って前方に勢いよく発射される。銃身２１の先端には連結紐３の端部が連結されている。これらはいずれも耐水性・耐塩分性を有する材料が用いられている。この発射装置は従来の水中銃の構成をそのまま用いることができるため、各要素についてこれ以上の詳細な説明は省略する。なお、発射装置２は図１に示す構成のものに限らず、公知の様々な発射機構を用いることができる。例えばゴムの反発力によらずバネやスプリングを用いるようにしてもよいし、照準器を設けてもよい。また、発射装置２は連結紐３の巻き取りおよび繰り出しが可能なリールを具えていてもよい。
【００２８】
図２は、網部１２の構造を示す拡大図である。図２に示すように、網部１２は筒状の基部１１の先端に取り付けられており、網部１２の形を袋状または籠状に保持する４本の骨格部材１４と、当該骨格部材間にゆとりを持って張り渡された網１５と、網部１２の開口にほぼ等間隔で取り付けられた複数の磁石１６とを具えている。骨格部材１４は耐水・耐塩分性を施した金属材や樹脂材でなり、基部１１の先端からそれぞれ基部１１の前方斜め外側方向へ延在している。磁石１６は例えば異方性フェライトなど錆びないものを用いるか、防錆コートを施したものを用いる。各骨格部材１４の中間部には回動軸１７が設けられており、骨格部材１４の自由端側はそれぞれ内側に回動可能である。各骨格部材１４の自由端側には、基部１１内で分岐された連結紐３が連結されている。したがって、基部１１の後端部側から連結紐３を引っ張ると、各骨格部材１４の自由端部側が回動し、網部１２の開口が狭まって閉鎖される。網部１２が閉じたときに磁石１６が互いにくっつき、その後に連結紐３が緩んだ場合にも網部１２の閉鎖状態が保たれる。
【００２９】
図３は、本実施例の骨格部材１４と基部１１との結合構造を示す分解斜視図である。本実施例では、それぞれ対角にある骨格部材１４が根元で一体となっており、２つのＶ字型部材１４ａ、１４ｂの組み合わせで構成されている。各Ｖ字型部材１４ａ、１４ｂの屈曲部分１８の中央にそれぞれ前側と後側に切り込み２０ａ、２０ｂが設けられており、これらの切り込み２０ａと２０ｂを組み合わせると骨格部材１４ａ、１４ｂが十字型をなすよう設計されている。一方、基部１１の前端部には断面を４分割した位置に切り込み１９が設けられており、十字型に組み合わせた骨格部材１４をこの切り込み１９に嵌挿して固定するようにしている。また、図３に示すように骨格部材１４は平板部材を縦に用いるようにして、捕獲具１が水中を進む際の抵抗を少なくしつつ強度を確保している。
【００３０】
骨格部材１４の回動部１７は、発射の際あるいは水中を進む際に水の抵抗を受けても回動せず、連結紐３が引っ張られたときに回動して網部１２を閉じることが条件となる。例えば、骨格部材１４の回動範囲が、捕獲具１の進行方向と平行あるいは進行方向に対して若干開いた状態と網部１２が閉じた状態との間となるよう、骨格部材１４の回動部分にストッパ構造を設けてもよいし、各骨格部材１４に連結された連結紐３をそれぞれ図２および図３に示す屈曲部１８がなす十字型の窓に別々に通したところで結び、連結紐３が図２に示す長さ以上に網部１２側に繰り出ないようにして回動部１７の回動範囲を制限してもよい。本実施例の捕獲具１では、骨格部材１４の自由端部側は最も開いた状態で捕獲具１の進行方向と平行となるよう構成して、進行時の水の抵抗が最小限となるようにしている。他の実施例ではこれをもう少し開き気味にして、水中を進む際に水の抵抗により網部１２が開いた状態が確実に保たれるようにしてもよい。図２に示すように骨格部材１４は回動軸１７において角度が設けられており、連結紐３が引っ張られたときに骨格部材１４の自由端部側が確実に内側に折れ曲がるようにしている。
【００３１】
上記構成により、網部１２が水の抵抗を受けても変形することなく水中を進み、その走行中に対象物を網部１２内に捕獲することができる。また、不使用時には、図３に示すＶ字型部材１４ｂを引っ張り、他方のＶ字型部材１４ａから分離させることにより、Ｖ字型部材１４ａと１４ｂとを重ねて網部１２を平らに折り畳むことができる。なお、折り畳む際の障害とならないよう、網１３は十分弛ませて緊結あるいは熱圧着などの手段により確実に骨格部材１４に取り付けられている。
【００３２】
捕獲具１を発射装置２にセットして発射させると、捕獲具１は連結紐３の長さだけ進み、連結紐３が伸びきった瞬間に骨格部材１４の回動部分が引っ張られて網部１２の開口が閉じる。図４は、網部１２が閉じたイメージを示す図である。本図において、網はその輪郭のみ示す。網部１２が閉じた段階で開口部に取り付けてある磁石１６が互いにくっつき、その後に連結紐３が緩んだ状態でも閉鎖状態が保たれる。なお、磁石の数を多くすれば網部１２を閉じた場合の隙間が小さくなるが、その分捕獲具１の重量が増してしまうため、磁石の数は捕獲具１の素材、強度や総重量等の実施環境を総合的に勘案して適宜決定するものとする。本実施例では４本の骨格部材１４の先端にそれぞれ磁石を取り付けて、骨格部材１４が開いてしまわないようにしている。
【００３３】
捕獲具セットの使用者は、捕獲対象物までの距離を連結紐３の長さ範囲内にとり、対象物に向けて捕獲具１を発射する。細長い基部１１が方向性を保ち、骨格部材１４が網部１２の形状を保持するため、捕獲具１は開口部を前に向けたままそのままの形で進み、その過程で対象物が網部１２内に収容される。その後も捕獲具１は連結紐３の長さまで進み、連結紐３が伸びきった状態で開口部が閉じ、対象物が網部１２内に捕獲される。捕獲具１が進んでいる間、収容された対象物は網部１２内で基部１１側に押しつけられた状態となるため脱出することがなく、捕獲具１が止まる時点で網部１２が閉じられるため対象物を傷つけることなく捕獲することができる。
【実施例２】
【００３４】
図５は、本発明に係る捕獲具３０の第２実施例の構成を説明するための斜視図である。図５に示すように、本実施例の捕獲具３０では骨格部材３２が「くの字」型に形成されており、基部３１の先端に枢着されている。各骨格部材３２の根元は、図４に示す延在角度でその端面が基部３１の外側面に当接するよう斜めに形成されている。したがって、骨格部材３２は図５に示す状態が最も開いた状態となり、この状態と捕獲具３０を閉じる状態との間で回動可能である。また、各骨格部材３１に取り付けられた連結紐３は比較的短く、網部の中央付近で合流する構成となっている。その他の構成は第１実施例の捕獲具と同様である。
【００３５】
このように捕獲具を構成しても、対象物に向けて発射して好適に捕獲することができる。本実施例の捕獲具３０を発射すると対象物に向かって勢いよく進み、対象物を網部内に収容する。このとき対象物が網部内で連結紐３に当たると連結紐３が基部３１側に引っ張られ、これに連結された骨格部材３２が回動して捕獲具３０が閉じる。また、対象物が連結紐３に当たらない場合でも捕獲具３０が射程距離だけ進むと連結紐３が引っ張られて捕獲具３０が閉じる。捕獲具３０が閉じたときには開口部に取り付けられた複数の磁石が互いにくっつき合い閉じた状態が維持される。このようにして対象物を殺傷することなく好適に捕獲することができる。
【実施例３】
【００３６】
図６は、本発明に係る捕獲具の第３実施例の構成を示す図である。本実施例の捕獲具４０は、網部４１の開口部に柔らかいガード部材４２を配設して構成されている。このガード部材４２は、例えば直径０．０５〜０．３ｍｍ程度の太めのナイロン糸を、網部４１の開口部の全周に亘り目の粗いループまたはコイル状に縫い込んだものであり、網部４１が開いているときはクッション材としての役割を果たし、網部４１が閉じたときは閉塞部材としての役割を果たす。すなわち、ガード部材４２はループまたはコイル状のナイロン糸であるため弾力性に富み、捕獲具４０が発射されたときに捕獲対象物に当たっても傷つけることがない。また、図４に示すように、網部４１が閉じたときには開口部に取り付けられた磁石が互いにくっついて閉じた状態を保持するが、磁石の数が少ないと各磁石間に延在する網１５が弛んで隙間が生じてしまう可能性がある。本実施例によれば、図６（ｂ）に示すように、開口部の網１５が弛んだ場合でもガード部材４２が隙間を埋めるように延在し、網部４１内に捕獲した魚などが逃げ出してしまうのを防止できる。なお、その他の構成要素は図２に示す捕獲具１と同様である。
【実施例４】
【００３７】
図７は、本発明に係る捕獲具の第４実施例の構成を示す図である。本実施例の捕獲具５０では、骨格部材５１がＬ字型に形成された可撓性材料でなり、Ｌ字の短辺側が基部５２にそのまま固定されている。各骨格部材５１の先端には磁石５３が取り付けられている。また、捕獲具４の開口部は巾着型に構成されており、その口紐５４が基部５２から延びる連結紐３に連結されている。
【００３８】
本実施例の捕獲具５０では、連結紐３が引っ張られると、これに連結された口紐５４が引っ張られて開口が巾着のように狭まり、これにより骨格部材５１が撓んで四角錐に近い形状となり、捕獲具５０の開口が閉鎖される。閉鎖時には磁石５３が互いにくっつき、その後に連結紐３が緩んだ場合でも閉鎖状態が維持される。このようにして、捕獲具５０内に獲物を捕獲することができる。
【００３９】
図８は、本発明に係る捕獲具の第５実施例の構成を示す図である。本実施例の捕獲具６０は、図１に示すような発射装置２を用いることなく、それ自体手動で打ち出せるよう構成されている。すなわち、図８（ａ）に示すように捕獲具６０の後端部には例えば環状のゴムバンド６１でなる発射手段が取り付けられており、これを図８（ｂ）に示すように片手に持ってゴムバンド６１を引っ張り、その手で基部６２のできるだけ網部側を掴む。この状態から捕獲具６０を対象物に向け、基部６２を掴んでいる手を離すと、ゴムバンド６１の作用により捕獲具６０が対象物に向けて打ち出される。この場合連結紐３は基部６２の後端部から別途延在しており、これを別の手で保持しておき、捕獲部６０の網部に対象物が入ったら連結紐３を引っ張るようにする。このように構成すれば、比較的大がかりで嵩張る発射装置２を用いることなく、手軽に水中での魚採りを楽しむことができる。
【００４０】
なお、ゴムバンド６１は環状に構成されている必要はないが、手に引っかけることを考慮すると環状に構成するのが望ましい。この場合のゴムバンド６１の長さは基部６２の長さやゴムの柔らかさ等の実施環境に応じて適宜決定されるものとする。また、ゴムバンド６２と基部６１を連結する部材６３は基部６２の後端部に着脱可能に構成して、基部６２を図１に示す発射装置２に適用可能に構成してもよい。すなわち、基部６２の後端部に雄ねじを切るとともに、筒状の部材６３の内周に雌ねじを構成して、両者が螺合するように構成する。基部６２の後側に図１に示すような切れ込み２４を設けておけば、部材６３を取り外して連結紐３を連結することにより、この捕獲具６０を発射装置２に適用して使用することができる。なお、本実施例における他の構成要素、すなわち網部や連結紐の詳細は図１〜図７に示す捕獲具と同様であり、重複する説明はここに省略する。
【００４１】
本発明の捕獲具について幾つかの実施例を示しながら説明したが、本発明の技術的範囲は上記実施例の範囲に限定されるものではなく、他の様々な実施例を考えることができる。例えば、上記実施例ではいずれも骨格部材を４本用いているが、これは３本であっても、５本以上であってもよい。また、図７に示す巾着型の構成は図２〜図６に示す実施例に適用してもよいし、逆に図２〜図６に示す閉鎖手段の構成を図７の実施例に適用することも可能である。また、上述の実施例では捕獲具の開口部に複数の磁石を取り付けて閉鎖後に開かないようにしているが、これは閉鎖後に連結紐が緩んでも捕獲具が開かない目的を達成できるものであれば磁石以外の手段を用いてもよい。例えば、筒状の基部内に連結紐が一方向にのみ進むラチェット機構を組み込んでおき、連結紐３が引っ張られたらラチェット機構を解除するまで戻らないようする。この場合も連結紐３が緩んでも捕獲具の閉鎖状態を保つことができる。また、上記実施例では捕獲具の開口部に複数の磁石を取り付けているが、総てが磁石である必要はなく、一部を磁石として残りを磁石にくっつく材料としても、互いにくっついて網部を閉鎖しておく目的を果たすことができる。
【００４２】
さらに、上記実施例の基部はいずれも筒状体であり連結紐３をこれに挿通させているが、基部に棒状体を用いて連結紐を網部のすぐ後側から延在させるようにしてもよい。また、発射装置側に連結紐３の繰り出し／巻き取りが自在なストッパ付のリールを設け、捕獲具の発射後に所望の距離でストッパを作用できるように構成してもよい。これにより、捕獲具の開口を所望の位置で閉じることができ、より確実に対象物を捕獲することができる。
【００４３】
その他、各構成要素の寸法や形状、用いる材料などは本発明の捕獲具を使用する目的や環境に合わせて適宜決定されるものとする。また、本発明の捕獲具は水中で使用する目的に限らず、陸上すなわち空中で発射して対象物を捕獲する目的にも使用することができる。
【産業上の利用可能性】
【００４４】
本発明に係る捕獲具は、発射装置に装填される細長い基部と、当該基部の先端に開口部を前に向けて取り付けられた袋状または籠状の網部と、前記発射装置から打ち出された後に前記網部の開口を閉じる閉鎖手段とを具えるため、水中で魚などに向けて発射して傷つけることなく捕獲することができ、ダイビングやシュノーケリングなどのマリンスポーツに好適に利用できる他、陸上でも昆虫採集等の目的に利用することができる。
【図面の簡単な説明】
【００４５】
【図１】捕獲具セットの構成を示す斜視図である。
【図２】捕獲具の構成を示す斜視図である。（実施例１）
【図３】第１実施例の捕獲具の部分分解斜視図である。
【図４】第１実施例の捕獲具が閉じた状態を示す図である。
【図５】捕獲具の構成を示す斜視図である。（実施例２）
【図６】捕獲具の構成を示す斜視図である。（実施例３）
【図７】捕獲具の構成を示す斜視図である。（実施例４）
【図８】捕獲具の構成を示す図である。（実施例５）
【符号の説明】
【００４６】
１，３０，４０，５０、６０    捕獲具
２    発射装置
３    連結紐
１１，３１，    基部
１２，４１，５２    網部
１４，３２    骨格部材
１５    網
１６    磁石
１７    回動軸
２１    銃身
２２    ゴムバンド
２３    発射機構
４２    ガード部材
５４    口紐
【図１】
2006122038.tif 000003
【図２】
2006122038.tif 000004
【図３】
2006122038.tif 000005
【図４】
2006122038.tif 000006
【図５】
2006122038.tif 000007
【図６】
2006122038.tif 000008
【図７】
2006122038.tif 000009
【図８】
2006122038.tif 000010